(57)【要約】【課題】この発明は、無線伝送によって信号を伝送できない場合に、そのことをユーザに通知できる画像情報伝送装置を提供することを目的とする。【解決手段】著作権保護が必要な入力信号と著作権保護が不必要な入力信号とを少なくとも１種類ずつ含む複数種類の信号が入力され、複数種類の入力信号のうちユーザによって選択された入力信号をディスプレイ装置に伝送する画像情報伝送装置において、ユーザによって選択された入力信号が著作権保護が必要な入力信号であり、ユーザによって無線伝送モードが設定されている場合には、ユーザによって選択された入力信号をディスプレイ装置に伝送させることを禁止するとともに、ユーザによって選択された入力信号を無線伝送モードでは伝送できない旨のメッセージをディスプレイ装置に伝送して表示させる手段を備えている。【選択図】　図１
2004072317.tif 000002
【特許請求の範囲】
【請求項１】
著作権保護が必要な入力信号と著作権保護が不必要な入力信号とを少なくとも１種類ずつ含む複数種類の信号が入力され、複数種類の入力信号のうちユーザによって選択された入力信号をディスプレイ装置に伝送する画像情報伝送装置において、
著作権保護技術が採用されていない無線伝送によって画像情報をディスプレイ装置に伝送する第１伝送手段、
著作権保護技術が採用されている有線伝送によって画像情報をディスプレイに伝送する第２伝送手段、
第１伝送手段によって信号を伝送する無線伝送モードと、第２伝送手段によって信号を伝送する有線伝送モードとをユーザに設定させる手段、
ユーザによって選択された入力信号が著作権保護が不必要な入力信号である場合には、第１伝送手段および第２伝送手段のうち、ユーザによって設定された伝送モードに対応した伝送手段によって、ユーザによって選択された入力信号をディスプレイ装置に伝送させる手段、
ユーザによって選択された入力信号が著作権保護が必要な入力信号であり、ユーザによって有線伝送モードが設定されている場合には、ユーザによって選択された入力信号を第２伝送手段によってディスプレイ装置に伝送させる手段、ならびに
ユーザによって選択された入力信号が著作権保護が必要な入力信号であり、ユーザによって無線伝送モードが設定されている場合には、ユーザによって選択された入力信号をディスプレイ装置に伝送させることを禁止するとともに、ユーザによって選択された入力信号を無線伝送モードでは伝送できない旨のメッセージをディスプレイ装置に伝送して表示させる手段、
を備えていることを特徴とする画像情報伝送装置。
【請求項２】
著作権保護が必要な入力信号が、ＤＶＤ再生装置から送られてきた信号であることを特徴とする請求項１に記載の画像情報伝送装置。
【請求項３】
著作権保護が必要な入力信号が、ＤＶＨＳ再生装置から送られてきた信号であることを特徴とする請求項１および２のいずれかに記載の画像情報伝送装置。
【発明の詳細な説明】
【０００１】
【発明の属する技術分野】
この発明は、ディスプレイ装置に画像情報を伝送する画像情報伝送装置に関する。
【０００２】
【従来の技術】
近年、インターネットによる映画配信やＤＶＤなどの記録媒体を通じて、様々な作品が自宅にいながら気軽に楽しめるようになってきている。一方で、これらのコンテンツを不正コピーから守る著作権保護が問題となってきており、エンドユーザにとって安心して楽しめる利用環境を整えることが重要になってきている。
【０００３】
例えば、ＤＶＤ、ＤＶＨＳの再生機器からの再生信号、ＳＤＴＶのようなＴＶ信号、ＶＨＳの再生機器の再生信号を受信して、ディスプレイ装置に伝送するためのセットトップボックス型の画像情報伝送装置を想定する。
【０００４】
ＤＶＤ、ＤＶＨＳの再生機器からＩＥＥＥ１３９４を介してセットトップボックス型の画像情報伝送装置に送られるデータは、ＤＴＣＰ（Ｄｉｇｉｔａｌ　Ｔｒａｎｓｍｉｓｓｉｏｎ　Ｃｏｎｔｅｎｔ　Ｐｒｏｔｅｃｔｉｏｎ）　と呼ばれる著作権保護技術によって、デジタル転送における不正なコピーが防止されている。
【０００５】
また、セットトップボックス型の画像情報伝送装置とディスプレイ装置とをＤＶＩ（Ｄｉｇｉｔａｌ　Ｖｉｓｕａｌ　Ｉｎｔｅｒｆａｃｅ）を用いて接続した場合にも、ＨＤＣＰ（Ｈｉｇｈ−ｂａｎｄｗｉｄｔｈ　Ｄｉｇｉｔａｌ　Ｃｏｎｔｅｎｔ　Ｐｒｏｔｅｃｔｉｏｎ）　と呼ばれる著作権保護技術によって、デジタル転送における不正なコピーが防止されている。
【０００６】
しかしながら、セットトップボックス型の画像情報伝送装置とディスプレイ装置との間の信号伝送を、光通信などの無線伝送によって行なう場合には、著作権保護技術が確立されていない。このため、ＤＶＤ等の著作権保護の対象となるコンテンツを光通信などの無線伝送によって、セットトップボックス型の画像情報伝送装置からディスプレイ装置に伝送することは禁止される。
【０００７】
このため、セットトップボックス型の画像情報伝送装置として、ＤＶＩを用いた有線伝送手段と光通信などの無線伝送手段とを備え、いずれの伝送手段によって信号を伝送するかをユーザが選択できるようなものにおいては、著作権保護の対象となるコンテンツを無線伝送しようとすると、その伝送が禁止されるようになっている。
【０００８】
しかしながら、このような事情を知らないユーザは、無線伝送によって信号が伝送されないことに対して、戸惑いや疑問を抱いてしまうという問題がある。
【０００９】
【発明が解決しようとする課題】
この発明は、著作権保護の観点から無線伝送によって信号を伝送できない場合に、そのことをユーザに通知できる画像情報伝送装置を提供することを目的とする。
【００１０】
【課題を解決するための手段】
この発明による画像情報伝送装置は、著作権保護が必要な入力信号と著作権保護が不必要な入力信号とを少なくとも１種類ずつ含む複数種類の信号が入力され、複数種類の入力信号のうちユーザによって選択された入力信号をディスプレイ装置に伝送する画像情報伝送装置において、著作権保護技術が採用されていない無線伝送によって画像情報をディスプレイ装置に伝送する第１伝送手段、著作権保護技術が採用されている有線伝送によって画像情報をディスプレイに伝送する第２伝送手段、第１伝送手段によって信号を伝送する無線伝送モードと、第２伝送手段によって信号を伝送する有線伝送モードとをユーザに設定させる手段、ユーザによって選択された入力信号が著作権保護が不必要な入力信号である場合には、第１伝送手段および第２伝送手段のうち、ユーザによって設定された伝送モードに対応した伝送手段によって、ユーザによって選択された入力信号をディスプレイ装置に伝送させる手段、ユーザによって選択された入力信号が著作権保護が必要な入力信号であり、ユーザによって有線伝送モードが設定されている場合には、ユーザによって選択された入力信号を第２伝送手段によってディスプレイ装置に伝送させる手段、ならびにユーザによって選択された入力信号が著作権保護が必要な入力信号であり、ユーザによって無線伝送モードが設定されている場合には、ユーザによって選択された入力信号をディスプレイ装置に伝送させることを禁止するとともに、ユーザによって選択された入力信号を無線伝送モードでは伝送できない旨のメッセージをディスプレイ装置に伝送して表示させる手段を備えていることを特徴とする。
【００１１】
著作権保護が必要な入力信号には、たとえば、ＤＶＤ再生装置から送られてきた信号、ＤＶＨＳ再生装置から送られてきた信号がある。
【００１２】
【発明の実施の形態】
以下、図面を参照して、この発明の実施の形態について説明する。
【００１３】
図１は、ディスプレイ装置に画像情報を伝送するためのセットトップボックス型の画像情報伝送装置の構成を示している。
【００１４】
この例では、画像情報伝送装置１００には、ＳＤＴＶのようなＴＶ信号、ＶＨＳの再生機器の再生信号（以下、ＶＨＳ信号という）が入力されるとともに、著作権保護の対象となる可能性があるコンテンツが記録された記録媒体の再生機器（デジタルコンテンツ再生機器）１からの再生信号が入力される。デジタルコンテンツ再生機器としては、たとえば、ＤＶＤ再生機器、ＤＶＨＳ再生機器があるが、ここでは、説明の便宜上、デジタルコンテンツ再生機器１はＤＶＤ再生機器であるとする。また、ＴＶ信号（ＳＤＴＶ信号）、ＶＨＳ信号は著作権保護が不必要な入力信号であり、デジタルコンテンツ再生機器１からのＤＶＤ信号が著作権保護が必要な入力信号であるとする。
【００１５】
デジタルコンテンツ再生機器１は、ＩＥＥＥ１３９４ケーブル２を介して画像情報伝送装置１００に設けられたＩＥＥＥ１３９４コネクタ１０１に接続されている。ＩＥＥＥ１３９４コネクタ１０１はＩＥＥＥ１３９４Ｉ／Ｆ回路１０２に接続されている。
【００１６】
デジタルコンテンツ再生機器１と画像情報伝送装置１００とは、ＤＴＣＰを使用して、データを暗号化して通信を行なう。つまり、デジタルコンテンツ再生機器１はデータを暗号化して送り、画像情報伝送装置１００のＩＥＥＥ１３９４Ｉ／Ｆ回路１０２はそれを受信して復号化を行なう。
【００１７】
ＩＥＥＥ１３９４Ｉ／Ｆ回路１０２によって得られたＤＶＤ信号は、ＭＰＥＧデコーダ１０３に送られ、ＭＰＥＧデコードされる。ＭＰＥＧデコーダ１０３によって得られたＤＶＤ信号は、セレクタ１０４の第１入力端子Ｉ１に送られる。
【００１８】
ＳＤＴＶ信号はセレクタ１０４の第２入力端子Ｉ２に送られ、ＶＨＳ信号はセレクタ１０４の第３入力端子Ｉ３に送られる。
【００１９】
セレクタ１０４は、マイコン１１０によって制御される。マイコン１１０には、操作部１１１からの操作信号が入力される。セレクタ１０４は、マイコン１１０によって指定された入力信号を選択して、スケーラ１０５に送る。スケーラ１０５は、マイコン１１０からの制御信号に基づいて、入力信号をスケーリング処理する。スケーラ１０５によって得られた信号は、合成回路１０９に送られ、必要であればオンスクリーン画像と合成される。合成回路１０９の出力信号は、スイッチ１０６に送られる。スイッチ１０６は、マイコン１１０によって制御される。
【００２０】
スイッチ１０６に送られた信号は、スイッチ１０６の状態によって、ＤＶＩエンコーダ１０７または光伝送Ｉ／Ｆ回路１０８に送られる。スイッチ１０６からＤＶＩエンコーダ１０７に信号が送られた場合には、ＤＶＩエンコーダ１０７は、入力信号をＤＶＩエンコードし、得られた信号（デジタル信号）をディスプレイ装置３に有線伝送する。ＤＶＩエンコードの際に、ＨＤＣＰによる暗号化が行なわれる。ディスプレイ装置３は、ＤＶＩエンコーダ１０７から送られてきた信号をＤＶＩデコードした後、ディスプレイに表示する。ＤＶＩデコードの際、ＨＤＣＰによる暗号が復号化される。
【００２１】
スイッチ１０６から光伝送Ｉ／Ｆ回路１０８に信号が送られた場合には、光伝送Ｉ／Ｆ回路１０８は、入力信号を光信号に変換して、ディスプレイ装置３に無線伝送する。ディスプレイ装置３は、光伝送Ｉ／Ｆ回路１０８から送られてきた光信号を電気信号に戻した後、ディスプレイに表示する。
【００２２】
ＯＳＤ生成回路１１２は、マイコン１１０からの指示に応じてオンスクリーン用の画面表示信号を生成して出力する。ＯＳＤ生成回路１１２から出力された画面表示信号は、合成回路１０９を介してスイッチ１０６に送られる。スイッチ１０６に送られた信号は、スイッチ１０６の状態によって、ＤＶＩエンコーダ１０７を介してディスプレイ装置３に送られるか、または光伝送Ｉ／Ｆ回路１０８を介してディスプレイ装置３に送られる。
【００２３】
ユーザは、操作部１１１を操作することによって、入力信号の選択（セレクタ１０４の状態の選択）、ディスプレイ装置３への伝送モードの選択（スイッチ１０６の状態の選択）等を行なう。入力信号の選択モードとしては、デジタルコンテンツ再生機器１からの入力信号を選択するＤＶＤモード、ＳＤＴＶ信号を選択するＴＶモードおよびＶＨＳ信号を選択するＶＨＳモードがある。ディスプレイ装置３への伝送モードとしては、光伝送モード（無線伝送モード）と、ＤＶＩモード（有線伝送モード）とがある。
【００２４】
図２は、マイコン１１０による画像情報伝送処理手順を示している。
【００２５】
まず、入力信号の選択モードを判定する（ステップ１）。
【００２６】
以下、入力信号の選択モードがＴＶモードである場合、ＶＴＲモードである場合およびＤＶＤモードである場合に分けてマイコン１１０による処理を説明する。
【００２７】
（１）入力信号の選択モードがＴＶモードである場合
入力信号の選択モードがＴＶモードである場合には、セレクタ１０４の第２入力端子Ｉ２に入力されているＳＤＴＶ信号をセレクタ１０４が選択して出力するように、セレクタ１０４を制御する（ステップ２）。
【００２８】
そして、伝送モードを判定する（ステップ３）。伝送モードが光伝送モードである場合には、スイッチ１０６を光伝送Ｉ／Ｆ回路１０８側に切り替える（ステップ４）。これにより、ＳＤＴＶ信号がディスプレイ装置３に光伝送されて表示される。伝送モードがＤＶＩモードである場合には、スイッチ１０６をＤＶＩエンコーダ１０７側に切り替える（ステップ５）。これにより、ＳＤＴＶ信号がディスプレイ装置３にＤＶＩ伝送されて表示される。
【００２９】
（２）入力信号の選択モードがＶＴＲモードである場合
入力信号の選択モードがＶＴＲモードである場合には、セレクタ１０４の第３入力端子Ｉ３に入力されているＶＴＲ信号をセレクタ１０４が選択して出力するように、セレクタ１０４を制御する（ステップ６）。
【００３０】
そして、伝送モードを判定する（ステップ３）。伝送モードが光伝送モードである場合には、スイッチ１０６を光伝送Ｉ／Ｆ回路１０８側に切り替える（ステップ４）。これにより、ＶＴＲ信号がディスプレイ装置３に光伝送されて表示される。伝送モードがＤＶＩモードである場合には、スイッチ１０６をＤＶＩエンコーダ１０７側に切り替える（ステップ５）。これにより、ＶＴＲ信号がディスプレイ装置３にＤＶＩ伝送されて表示される。
【００３１】
（３）入力信号の選択モードがＤＶＤモードである場合
入力信号の選択モードがＤＶＤモードである場合には、セレクタ１０４の第１入力端子Ｉ１に入力されているＤＶＤ信号をセレクタ１０４が選択して出力するように、セレクタ１０４を制御する（ステップ７）。
【００３２】
そして、伝送モードを判定する（ステップ８）。伝送モードが光伝送モードである場合には、ＯＳＤ生成回路１１２から”現在選択されている入力信号を光伝送モードでは伝送できないこと”を意味するＯＳＤ表示信号を出力させる（ステップ９）。また、スケーラ１０５を非作動状態にすることにより（ステップ１０）、ＤＶＤ信号がスケーラ１０５から出力されないようにする。さらに、スイッチ１０６を光伝送Ｉ／Ｆ回路１０８側に切り替える（ステップ１１）。これにより、ＯＳＤ表示信号のみが合成回路１０９、スイッチ１０６、光伝送Ｉ／Ｆ回路１０８を介してディスプレイ装置３に光伝送されて表示される。
【００３３】
上記ステップ８において、伝送モードがＤＶＩモードであると判定した場合には、単に、スイッチ１０６をＤＶＩエンコーダ１０７側に切り替える（ステップ１２）。これにより、ＤＶＤ信号がディスプレイ装置３にＤＶＩ伝送されて表示される。
【００３４】
上記実施の形態によれば、ＤＶＤ信号のように著作権で保護すべき信号を、無線伝送によってディスプレイ装置によって伝送できない場合に、ユーザにその旨を通知でき、ユーザにＤＶＩモードでの伝送を促すことが可能となる。
【００３５】
【発明の効果】
この発明によれば、著作権保護の観点から無線伝送によって信号を伝送できない場合に、そのことをユーザに通知できるようになる。
【図面の簡単な説明】
【図１】ディスプレイ装置に画像情報を伝送するためのセットトップボックス型の画像情報伝送装置の構成を示すブロック図である。
【図２】マイコン１１０による画像情報伝送処理手順を示すフローチャートである。
【符号の説明】
１　デジタルコンテンツ再生機器
３　ディスプレイ装置
１００　画像情報伝送装置
１０１　ＩＥＥＥ１３９４コネクタ
１０２　ＩＥＥＥ１３９４Ｉ／Ｆ回路
１０３　ＭＰＥＧデコーダ
１０４　セレクタ
１０５　スケーラ
１０６　スイッチ
１０７　ＤＶＩエンコーダ
１０８　光伝送Ｉ／Ｆ回路
１０９　合成回路
１１０　マイコン
１１１　操作部
１１２　ＯＳＤ生成回路
【図１】
2004072317.tif 000003
【図２】
2004072317.tif 000004